(57)【特許請求の範囲】
【請求項１】
使用者によってタッチ操作が行われる操作パネル（１１１）と、
前記操作パネル（１１１）の前記タッチ操作が行われる側とは反対側の面に沿うように設けられたフィルム部材（１１３ａ）と、
前記フィルム部材（１１３ａ）に設けられて、前記使用者の指との間でコンデンサを形成する電極部（１１３ｂ）、および前記電極部（１１３ｂ）用の配線部（１１３ｃ、１１３ｄ）と、を備える静電容量式スイッチ装置であって、
前記フィルム部材（１１３ａ）は、
前記フィルム部材（１１３ａ）の所定の第１の部位において、粘接着剤（１１４）によって前記操作パネル（１１１）に貼合されると共に、
前記フィルム部材（１１３ａ）の前記第１の部位とは異なる第２の部位において、前記フィルム部材（１１３ａ）の面方向における熱膨張、熱収縮による移動を可能とする支持部（１１５）によって支持されていることを特徴とする静電容量式スイッチ装置。
【請求項２】
前記支持部（１１５）は、柔軟性を有する柔軟部材（１１５ｃ）を有し、前記柔軟部材（１１５ｃ）によって前記フィルム部材（１１３ａ）の前記第２の部位を、前記操作パネル（１１１）側に付勢するようにして支持することを特徴とする請求項１に記載の静電容量式スイッチ装置。
【請求項３】
前記操作パネル（１１１）に対する前記フィルム部材（１１３ａ）の位置決めを行う位置決め部（１１１ａ、１１３ｅ）が、前記粘接着剤（１１４）が設けられる領域に対応するように形成されていることを特徴とする請求項１または請求項２に記載の静電容量式スイッチ装置。
【請求項４】
前記操作パネル（１１１）の前記粘接着剤（１１４）に対応する領域には、前記粘接着剤（１１４）の厚みに相当する分の窪み部（１１１ｂ）が形成されていることを特徴とする請求項１〜請求項３のいずれか１つに記載の静電容量式スイッチ装置。
【請求項５】
前記操作パネル（１１１）には、種類の異なる複数の意匠部（１１２ａ）が設けられており、
前記フィルム部材（１１３ａ）は、複数の前記意匠部（１１２ａ）の一部に対応する複数の前記電極部（１１３ｂ）を有する第１の電極部群（１１３ｂ１）と、複数の前記意匠部（１１２ａ）の他部に対応する複数の前記電極部（１１３ｂ）を有する第２の電極部群（１１３ｂ２）とを備えており、
前記粘接着剤（１１４）は、前記フィルム部材（１１３ａ）の前記第１の電極部群（１１３ｂ１）と、前記第２の電極部群（１１３ｂ２）との間に対応する部位に配置され、
前記支持部（１１５）は、前記フィルム部材（１１３ａ）の前記第１の電極部群（１１３ｂ１）と前記第２の電極部群（１１３ｂ２）とを挟む２カ所に対応する部位に配置されていることを特徴とする請求項１〜請求項４のいずれか１つに記載の静電容量式スイッチ装置。
【請求項６】
前記電極部（１１３ｂ）および前記配線部（１１３ｃ、１１３ｄ）は、前記フィルム部材（１１３ａ）の前記操作パネル（１１１）側の面で、前記支持部（１１５）に対応する領域を除いた領域に設けられていることを特徴とする請求項１〜請求項５のいずれか１つに記載の静電容量式スイッチ装置。
【請求項７】
前記電極部（１１３ｂ）および前記配線部（１１３ｃ、１１３ｄ）は、前記フィルム部材（１１３ａ）の前記操作パネル（１１１）とは反対側の面に設けられていることを特徴とする請求項１〜請求項５のいずれか１つに記載の静電容量式スイッチ装置。
【発明の詳細な説明】
【技術分野】
【０００１】
本発明は、使用者のタッチ操作によって所定の機器への作動条件の入力を行う静電容量式スイッチ装置に関するものである。
【背景技術】
【０００２】
従来の静電容量式スイッチ装置として、例えば、特許文献１に記載されたものが知られている。特許文献１のスイッチ装置は、使用者が指操作するための板状の操作パネル（誘電体）と、電極部（スイッチ電極）が設けられたフィルム（ＰＥＴフィルム）と、を備えており、フィルムは、例えば両面テープ等の粘接着剤によって操作パネルに貼合されている。特許文献１中の事例説明として、両面テープは、フィルムの全体にわたるように設けられたものが示されている。
【０００３】
特許文献１のスイッチ装置では、使用者が操作パネルに指を近づけると、指と電極部との間に形成される静電容量が変化し、この静電容量の変化に基づいて、所定の機器に対するオン、オフ等の入力操作が可能となっている。
【先行技術文献】
【特許文献】
【０００４】
【特許文献１】特開２００８−１４１３２９号公報
【発明の概要】
【発明が解決しようとする課題】
【０００５】
上記特許文献１のようにフィルムの全体にわたって両面テープを設けて、操作パネルに貼合する場合では、両面テープの貼合面積が大きくなり、両面テープ（貼合部材）のコストが高くなる。また、貼合面積が大きくなる分、貼合の手間（工数）が増える。よって、フィルムを貼合するにあたっては、フィルムの例えば両端部等の２カ所で部分的に貼合することが考えられる。
【０００６】
しかしながら、フィルムの部分的な貼合を考えると、操作パネルとフィルムの線膨張係数の差、およびガラス転移点（Ｔｇ点）の差から、温度変化に伴うそれぞれの膨張収縮差によって、例えばフィルムに波状のしわが発生して、操作パネルとフィルムとの間に浮きが発生してしまう。
【０００７】
例えば、操作パネルの線膨張係数より、フィルムの線膨張係数が小さい場合、温度上昇に伴って、操作パネルが膨張する分、高温で軟化したフィルムは２カ所において操作パネルに貼合されていることから、自身の線膨張分以上に伸ばされる。そして、温度低下によって操作パネルが収縮する際には、フィルムは自信の線膨張分しか縮まないので、膨張分が元に戻らず、波状のしわのように弛んで浮きとなってしまう。このような浮きが発生すると、操作パネルと電極部との距離がずれてしまい、電極部の感度が低下してしまう。
【０００８】
本発明の目的は、上記問題に鑑み、温度変化に伴うフィルムの浮きの発生を抑制可能とする静電容量式スイッチ装置を提供することにある。
【課題を解決するための手段】
【０００９】
本発明は上記目的を達成するために、以下の技術的手段を採用する。
【００１０】
本発明では、使用者によってタッチ操作が行われる操作パネル（１１１）と、
操作パネル（１１１）のタッチ操作が行われる側とは反対側の面に沿うように設けられたフィルム部材（１１３ａ）と、
フィルム部材（１１３ａ）に設けられて、指との間でコンデンサを形成する電極部（１１３ｂ）、および電極部（１１３ｂ）用の配線部（１１３ｃ、１１３ｄ）と、を備える静電容量式スイッチ装置であって、
フィルム部材（１１３ａ）は、
フィルム部材（１１３ａ）の所定の第１の部位において、粘接着剤（１１４）によって操作パネル（１１１）に貼合されると共に、
フィルム部材（１１３ａ）の第１の部位とは異なる第２の部位において、フィルム部材（１１３ａ）の面方向における熱膨張、熱収縮による移動を可能とする支持部（１１５）によって支持されていることを特徴としている。
【００１１】
この発明によれば、フィルム部材（１１３ａ）の第１の部位は、粘接着剤（１１４）によって操作パネル（１１１）に貼合され、また、フィルム部材（１１３ａ）の第２の部位は、支持部（１１５）によって熱膨張、熱収縮による移動が可能となるように支持される。
【００１２】
よって、温度変化を受けた場合に、貼合された第１の部位を起点として、フィルム部材（１１３ａ）の第２の部位側は、操作パネル（１１１）に対して独立して熱膨張、熱収縮が可能となる。したがって、操作パネル（１１１）とフィルム部材（１１３ａ）との膨張収縮差によるしわの発生をなくすことができ、温度変化に伴うフィルム部材の浮きの発生をなくすことができる。
【００１３】
尚、上記各手段の括弧内の符号は、後述する実施形態記載の具体的手段との対応関係を示すものである。
【図面の簡単な説明】
【００１４】
【図１】第１実施形態の静電容量式スイッチ装置を示す正面図である。
【図２】図１のII−II部を示す断面図である。
【図３】操作パネルおよび静電スイッチシートを示す説明図である。
【図４】第２実施形態の静電容量式スイッチ装置を示す断面図である。
【図５】第３実施形態の操作パネルおよび静電スイッチシートを示す説明図である。
【図６】第４実施形態の静電容量式スイッチ装置を示す断面図である。
【図７】第５実施形態の操作パネルおよび静電スイッチシートを示す説明図である。
【図８】図７のVIII−VIII部を示す断面図である。
【図９】第６実施形態の静電容量式スイッチ装置を示す断面図である。
【図１０】第７実施形態の静電容量式スイッチ装置を示す断面図である。
【発明を実施するための形態】
【００１５】
以下に、図面を参照しながら本発明を実施するための複数の形態を説明する。各形態において先行する形態で説明した事項に対応する部分には同一の参照符号を付して重複する説明を省略する場合がある。各形態において構成の一部のみを説明している場合は、構成の他の部分については先行して説明した他の形態を適用することができる。各実施形態で具体的に組み合わせが可能であることを明示している部分同士の組み合わせばかりではなく、特に組み合わせに支障が生じなければ、明示していなくても実施形態同士を部分的に組み合せることも可能である。
【００１６】
（第１実施形態）
本発明の第１実施形態について図１〜図３を用いて説明する。本実施形態の静電容量式スイッチ装置（以下、スイッチ装置）１００Ａは、例えば、車両用の所定機器としてのエアコン装置に対する作動条件を入力するものとなっている。スイッチ装置１００Ａは、入力部１１０、基板１２０、コネクタ１３０、検出ＩＣ１４０、および照明用ＬＥＤ１５０等を備えている。
【００１７】
入力部１１０は、エアコン装置に対する作動条件を、運転者（使用者）の指操作によって入力する部位となっている。入力部１１０は、例えば、車両のインストルメントパネル１０において、運転者の操作しやすい位置に設けられている。尚、指操作は、後述するいずれかのスイッチ１１０ａ〜１１０ｃに指で触れる操作であり、本発明のタッチ操作に対応する。
【００１８】
入力部１１０は、図１に示すように、複数のスイッチ１１０ａ、１１０ｂ、１１０ｃを備えている。各スイッチ１１０ａ〜１１０ｃは、静電容量式のスイッチ部を形成しており、図２に示すように、操作パネル１１１、加飾層１１２、静電スイッチシート１１３、両面テープ１１４、および支持部１１５等が操作パネル１１１の板厚方向に重なるように配置されて形成されている。
【００１９】
尚、各スイッチ１１０ａ〜１１０ｃは、例えば、エアコン装置の作動条件として、オート制御を設定するためのオート（Ａｕｔｏ）スイッチ１１０ａ、送風機のオフを設定するための送風機オフスイッチ（ＯＦＦ）１１０ｂ、および吹出しモードを設定するためのモード（Ｍｏｄｅ）スイッチ１１０ｃとなっている。
【００２０】
操作パネル１１１は、指操作用の基本となる板部材であり、例えば、外形が意匠形状に合わせた平板状の部材となっており、透光性を有する樹脂材から形成されている。
【００２１】
加飾層１１２は、操作パネル１１１の運転者側の面（表側の面）に、塗装膜、印刷フィルム、あるいは転写箔等によって形成されている。加飾層１１２の各スイッチ１１０ａ〜１１０ｃの周りとなる領域が背景部となっており、また、各スイッチ１１０ａ〜１１０ｃに対応する領域内は、スイッチ機能を示す意匠部１１２ａとなっている。意匠部１１２ａは、例えば文字によって形成されており、上記で説明したように、「Ａｕｔｏ」、「ＯＦＦ」、「Ｍｏｄｅ」等の表示となっている。加飾層１１２における背景部は、遮光性を有する領域となっており、また、意匠部１１２ａは透光性を有する領域となっている。
【００２２】
静電スイッチシート１１３は、図２、図３に示すように、操作パネル１１１の指操作が行われる側とは反対側の面（以下、裏側の面）に沿うように設けられている。静電スイッチシート１１３は、ベースフィルム１１３ａに、電極部１１３ｂ、配線部１１３ｃ、１１３ｄ等が印刷等によりパターン形成されている。
【００２３】
ベースフィルム１１３ａは、例えば、ポリエチレンテレフタレートやポリイミド等の樹脂材から形成された薄膜部材であり、操作パネル１１１の裏側の面に沿うように配置されている。ベースフィルム１１３ａは、例えば、各スイッチ１１０ａ〜１１０ｃの並ぶ方向（縦方向）の辺が長辺となる縦長の長方形の本体部１１３ａ１と、本体部１１３ａ１の一方の長辺の中央部から長辺に対して交差する方向に帯状に突出する帯状部１１３ａ２とを有している。本体部１１３ａ１と帯状部１１３ａ２は一体的に形成されて、全体がＴ字状を成している。ベースフィルム１１３ａは、本発明のフィルム部材に対応する。
【００２４】
電極部１１３ｂは、操作パネル１１１を介して運転者の指操作時の指との間でコンデンサを形成するものである。電極部１１３ｂは、例えば、金属箔や導電性物質（カーボン、金属、導電性高分子等）を含む印刷材料（インク、ペースト）等によって、ベースフィルム１１３ａの本体部１１３ａ１における操作パネル１１１側の面に印刷形成されている。電極部１１３ｂは、それぞれのスイッチ１１０ａ〜１１０ｃの各意匠部１１２ａの位置に対応するように（重なるように）、ベースフィルム１１３ａに複数（ここでは３つ）設けられている。
【００２５】
配線部１１３ｃは、電極部１１３ｂから出力される信号（静電容量に関する信号）を伝送する電極部用の配線であり、一端側が各電極部１１３ｂに接続されている。配線部１１３ｃは、電極部１１３ｂごとに用意されて、各電極部１１３ｂと対を成すように設けられている。配線部１１３ｃは、電極部１１３ｂと同様に、例えば、金属箔や導電性物質（カーボン、金属、導電性高分子等）を含む印刷材料（インク、ペースト）等によって、ベースフィルム１１３ａの本体部１１３ａ１および帯状部１１３ａ２における操作パネル１１１側の面に印刷形成されている。配線部１１３ｃの他端側は、後述する各コネクタ１３０に接続されている。
【００２６】
配線部１１３ｄは、各電極部１１３ｂを取り巻くように設けられた電極部用の配線である。配線部１１３ｄは、配線部１１３ｃと同様に、例えば、金属箔や導電性物質（カーボン、金属、導電性高分子等）を含む印刷材料（インク、ペースト）等によって、ベースフィルム１１３ａの本体部１１３ａ１および帯状部１１３ａ２における操作パネル１１１側の面に印刷形成されている。配線部１１３ｄの端部は、グランドに接続されている。
【００２７】
両面テープ１１４は、上記ベースフィルム１１３ａ（静電スイッチシート１１３）を操作パネル１１１に貼合するための粘接着剤である。両面テープ１１４は、細長形状を成すテープとなっており、ベースフィルム１１３ａの所定の第１の部位に設けられて、一方の粘接着面によってベースフィルム１１３ａの電極部１１３ｂが設けられた側の面に貼合されている。第１の部位は、ここでは、本体部１１３ａ１の一方側の長辺に沿う位置（以下、一端側部）となっている。そして、両面テープ１１４の他方の粘接着面によって、ベースフィルム１１３ａは、操作パネル１１１に貼合されている。
【００２８】
このとき、ベースフィルム１１３ａの他方側の端部と、後述する支持部１１５の壁部１１５ａとの間には、ベースフィルム１１３ａの熱膨張分を吸収可能とする隙間が形成されている。また、ベースフィルム１１３ａは、自身の剛性によって、操作パネル１１１との間に両面テープ１１４の厚み寸法に相当する微小な隙間をもって、操作パネル１１１に沿うように、その姿勢が維持されている。
【００２９】
支持部１１５は、ベースフィルム１１３ａの第１の部位とは異なる第２の部位において、ベースフィルム１１３ａの面方向の熱膨張、熱収縮による移動を可能として、操作パネル１１１に対する支持を行う部位となっている。第２の部位は、ここでは、本体部１１３ａ１の他方側の長辺に沿う位置（以下、他端側部）となっている。
【００３０】
支持部１１５は、操作パネル１１１の指操作される面とは反対側の面から後述する基板１２０側に延びる壁部１１５ａ、壁部１１５ａの途中から操作パネル１１１の面が拡がる方向に延びる腕部１１５ｂ、柔軟性を有する柔軟部材１１５ｃ、および両面テープ１１５ｄ等を有している。柔軟部材１１５ｃは、例えば、ウレタンフォーム、あるいはゴム材等から形成されて、断面矩形状を成して、本体部１１３ａ１の他端側部に沿う細長の部材となっており、両面テープ１１５ｄによって腕部１１５ｂの操作パネル１１１側の面に貼合されている。そして、柔軟部材１１５ｃの貼合された側とは反対側の面（以下、先端側面）は、ベースフィルム１１３ａと対向している。
【００３１】
柔軟部材１１５ｃの先端側面と、ベースフィルム１１３ａとの間には、微小な隙間が形成されており、上記で説明したように、ベースフィルム１１３ａの面方向の熱膨張、熱収縮による移動を可能としている。支持部１１５は、ベースフィルム１１３ａが、何らかの要因で、柔軟部材１１５ｃ側に張出そうとするような姿勢変化を防止するようにして、操作パネル１１１の面に沿う姿勢を維持するようになっている。
【００３２】
基板１２０は、表面上に電気回路を形成する薄い板部材であり、操作パネル１１１の指操作される面とは反対側に、操作パネル１１１と平行になるように配置されている。基板１２０は、壁部１１５ａに固定されている。
【００３３】
コネクタ１３０は、各配線部１１３ｃ、１１３ｄとの接続部を形成するものであり、各配線部１１３ｃ、１１３ｄに対応するように、基板１２０の操作パネル１１１とは反対側の面に、複数設けられている。
【００３４】
検出ＩＣ１４０は、各コネクタ１３０と接続されて、各電極部１１３ｂからの信号を検出する検出部となっている。ここでは、複数の電極部１１３ｂに対して１つの検出ＩＣ１４０が設定されている。検出ＩＣ１４０は、基板１２０の操作パネル１１１とは反対側の面に設けられている。検出ＩＣ１４０は、所定の微少時間ごとに各電極部１１３ｂからの信号を順番に検出することで、すべての電極部１１３ｂからの信号を検出するようになっている。
【００３５】
各電極部１１３ｂは、運転者の指との間に静電容量Ｃｈを発生させる。同様に、各電極部１１３ｂは、周囲の導体との間に静電容量Ｃａｍを発生させ、更に、グランド（大地）との間に静電容量Ｃｇを発生させる。静電容量Ｃｈ、Ｃａｍ、Ｃｇの総和をＣｘとしたときに、検出ＩＣ１４０は、静電容量の総和Ｃｘを各電極部１１３ｂからの信号として検出するようになっている。
【００３６】
照明用ＬＥＤ１５０は、各電極部１１３ｂに対応する各意匠部１１２ａに光を照射する光源である。照明用ＬＥＤ１５０は、各意匠部１１２ａに対応するように複数（ここでは３つ）設定されている。照明用ＬＥＤ１５０は、基板１２０の操作パネル１１１と対向する面に設けられている。各照明用ＬＥＤ１５０が点灯されることで、各意匠部１１２ａが明るく照らされるようになっている。
【００３７】
次に、上記構成に基づくスイッチ装置１００Ａの作動、および作用効果について、説明する。
【００３８】
運転者は、停車中あるいは走行中に、エアコン装置を作動させるにあたって、所望のスイッチ（１１０ａ〜１１０ｃのいずれか）を指で触れると、指を触れたスイッチ（例えば１１０ｃ）の位置に対応する電極部１１３ｂと、導電操作体である指との間でコンデンサが形成され、蓄電現象が発生する。検出ＩＣ１４０は、この蓄電に伴う静電容量の変化を、信号として配線部１１３ｃ、１１３ｄ、およびコネクタ１３０を介して検出する。そして、検出ＩＣ１４０は、検出した信号を所定形式の信号に変換して、エアコン装置（エアコン制御部）に出力する。
【００３９】
そして、エアコン制御部は、出力された信号をもとに、エアコン装置の作動条件の切替えを行う。よって、運転者は、上記のように各スイッチ１１０ａ〜１１０ｃを指操作することで、エアコン装置の作動条件を変更（入力）することができる。
【００４０】
本実施形態では、ベースフィルム１１３ａの一端側部（第１の部位）は、両面テープ１１４によって操作パネル１１１に貼合され、また、ベースフィルム１１３ａの他端側部（第２の部位）は、支持部１１５によって熱膨張、熱収縮による移動が可能となるように支持されている。
【００４１】
よって、温度変化を受けた場合に、貼合された一端側部を起点として、ベースフィルム１１３ａの他端側部は、操作パネル１１１に対して独立して熱膨張、熱収縮が可能となる。したがって、操作パネル１１１とベースフィルム１１３ａとの膨張収縮差によるしわの発生をなくすことができ、温度変化に伴うベースフィルム１１３ａの浮きの発生をなくすことができる。
【００４２】
また、両面テープ１１４による貼合箇所は、ベースフィルム１１３ａの全面ではなく、一端側部のみとしているので、両面テープ１１４の必要面積を小さくすることができ、両面テープ１１４のコストを安くすること、および貼合の手間（工数）を減らすことができる。
【００４３】
（第２実施形態）
第２実施形態のスイッチ装置１００Ｂを図４に示す。第２実施形態のスイッチ装置１００Ｂは、上記第１実施形態のスイッチ装置１００Ａに対して、柔軟部材１１５ｃによってベースフィルム１１３ａの他端側部を、操作パネル１１１側に付勢するようにしたものである。
【００４４】
柔軟部材１１５ｃの先端側面は、ベースフィルム１１３ａの基板１２０側の面に当接して、ベースフィルム１１３ａに対して所定の付勢力を操作パネル１１１側に付加している。操作パネル１１１と電極部１１３ｂとの間は、隙間０、または微小隙間が形成される状態となって、ベースフィルム１１３ａは、操作パネル１１１の面に沿う姿勢が維持されている。ベースフィルム１１３ａは、柔軟部材１１５ｃによって付勢力を受けつつも、上記第１実施形態と同様に、面方向における熱膨張、熱収縮による移動が可能となっている。尚、厳密には、ベースフィルム１１３ａは、両面テープ１１４の厚み寸法に相当する分だけ、両面テープ１１４の領域と他の領域との間で段差ができている。
【００４５】
これにより、上記第１実施形態と同様に、ベースフィルム１１３ａは、操作パネル１１１に対して独立して熱膨張、熱収縮が可能となるので、操作パネル１１１とベースフィルム１１３ａとの膨張収縮差によるしわの発生をなくすことができる。よって、温度変化に伴うベースフィルム１１３ａの浮きの発生をなくすことができる。
【００４６】
本実施形態では、ベースフィルム１１３ａが、柔軟部材１１５ｃによって付勢されることで、操作パネル１１１の面方向に沿う姿勢が確実に維持される。
【００４７】
（第３実施形態）
第３実施形態のスイッチ装置１００Ｃを図５に示す。第３実施形態のスイッチ装置１００Ｃは、上記第１、第２実施形態のスイッチ装置１００Ａ、１００Ｂに対して、操作パネル１１１に対するベースフィルム１１３ａの位置決めを行う位置決め部を設けたものである。
【００４８】
位置決め部は、操作パネル１１１に設けられて、ベースフィルム１１３ａ側に延びる棒状の位置決めピン１１１ａと、ベースフィルム１１３ａに設けられて、位置決めピン１１１ａが挿通される位置決め孔１１３ｅとを有している。
【００４９】
位置決めピン１１１ａと、位置決め孔１１３ｅは、両面テープ１１４が設けられる領域に対応するように形成されている。具体的には、位置決めピン１１１ａ、および位置決め孔１１３ｅは、両面テープ１１４の長手方向の両端部側に位置する部位（２カ所）に形成されている。
【００５０】
これにより、ベースフィルム１１３ａに設けられた両面テープ１１４によって、ベースフィルム１１３ａを操作パネル１１１に貼合する際に、位置決め孔１１３ｅに位置決めピン１１１ａが挿通されるようにして、操作パネル１１１とベースフィルム１１３ａとの位置合せをして組付けを行うことができる。したがって、両者１１１、１１３ａの正確な位置合わせが可能となる。
【００５１】
本実施形態では、位置決めピン１１１ａおよび位置決め孔１１３ｅによって、ベースフィルム１１３ａは、操作パネル１１１に対して位置固定される。しかしながら、位置決めピン１１１ａおよび位置決め孔１１３ｅの設定される部位は、両面テープ１１４が設けられる領域（一端側部）に対応するようにしているので、ベースフィルム１１３ａの他端側部における熱膨張、熱収縮に伴う移動は、上記第１、第２実施形態と同様に可能となっている。よって、温度変化に伴うベースフィルム１１３ａの浮きの発生をなくすことができる。
【００５２】
（第４実施形態）
第４実施形態のスイッチ装置１００Ｄを図６に示す。第４実施形態のスイッチ装置１００Ｄは、上記第１〜第３実施形態のスイッチ装置１００Ａ〜１００Ｃに対して、操作パネル１１１の両面テープ１１４に対応する位置に窪み部１１１ｂを形成したものである。
【００５３】
窪み部１１１ｂは、両面テープ１１４の厚み寸法に相当する深さを持つ窪みとなっている。ここでは、窪み部１１１ｂの深さ寸法は、両面テープ１１４の厚さ寸法よりもわずかに小さく成るように設定されており、操作パネル１１１と電極部１１３ｂとの間が、隙間０〜微小隙間となるレベルとなっている。
【００５４】
これにより、両面テープ１１４の厚み寸法に相当する分の、操作パネル１１１と、電極部１１３ｂとの距離を低減することができ、電極部１１３ｂの感度を向上させることができる。また、第２実施形態で説明したような、ベースフィルム１１３ａにおける段差をなくすことができる。
【００５５】
（第５実施形態）
第５実施形態のスイッチ装置１００Ｅを図７、図８に示す。第５実施形態のスイッチ装置１００Ｅは、上記第１〜第４実施形態のスイッチ装置１００Ａ〜１００Ｄに対して、各スイッチ１１０ａ〜１１０ｆの数が増設されており、種類の異なる複数の意匠部１１２ａが設けられている。そして、ベースフィルム１１３ａには、複数の意匠部１１２ａの一部に対応する第１電極部群１１３ｂ１と、複数の意匠部１１２ａの他部に対応する第２電極部群１１３ｂ２とが設けられている。
【００５６】
操作パネル１１１は、横長の長方形を呈するものとなっており、各スイッチ１１０ａ〜１１０ｆは、上下２列に配置されている。各スイッチ１１０ａ〜１１０ｆのうち、上側の列に配置される各スイッチ１１０ａ〜１１０ｃは、上記実施形態で説明したオートスイッチ１１０ａ、送風機オフスイッチ１１０ｂ、モードスイッチ１１０ｃであり、複数の意匠部１１２ａが第１意匠部群１１２１を形成するスイッチとなっている。
【００５７】
また、各スイッチ１１０ａ〜１１０ｆのうち、下側の列に配置される各スイッチ１１０ｄ〜１１０ｆは、例えば、左右独立エアコンにおける助手席側の作動条件を運転席側の作動条件に同調させるシンクロ（Ｓｙｎｃ）スイッチ１１０ｄ、エコモードでエアコン装置を作動させるためのエコ（Ｅｃｏ）スイッチ１１０ｅ、およびエアコン装置（コンプレッサ）のオンオフのためのエアコン（Ａ／Ｃ）スイッチ１１０ｆとなっている。各スイッチ１１０ｄ〜１００ｆは、複数の意匠部１１２ａが第２意匠部群１１２２を形成するスイッチとなっている。
【００５８】
また、ベースフィルム１１３ａの本体部１１３ａ１は、操作パネル１１１に併せて、横長の長方形を呈するものとなっている。電極部１１３ｂは、それぞれのスイッチ１１０ａ〜１１０ｆの各意匠部１１２ａの位置に対応するように（重なるように）、ベースフィルム１１３ａに、上下２列となるように複数（ここでは、６つ）配置されている。
【００５９】
上側の３つの電極部１１３ｂは、第１意匠部群１１２１の各意匠部１１２ａに対応するように設けられており、第１電極部群１１３ｂ１を形成している。また、同様に、下側の３つの電極部１１３ｂは、第２意匠部群１１２２の各意匠部１１２ａに対応するように設けられており、第２電極部群１１３ｂ２を形成している。
【００６０】
そして、両面テープ１１４は、ベースフィルム１１３ａにおいて、第１電極部群１１３ｂ１と第２電極部群１１３ｂ２との間に対応する位置に配置されている。つまり、両面テープ１１４は、ベースフィルム１１３ａにおいて、上側列の３つの電極部１１３ｂと、下側列の３つの電極部１１３ｂとの間に配置されている。
【００６１】
操作パネル１１１の両面テープ１１４に対応する位置には、上記第４実施形態と同様の窪み部１１１ｂが設けられている。窪み部１１１ｂの深さ寸法は、両面テープ１１４の厚さ寸法よりもわずかに小さく成るように設定されており、操作パネル１１１と電極部１１３ｂとの間が、隙間０〜微小隙間となるレベルとなっている。
【００６２】
更に、支持部１１５は、ベースフィルム１１３ａの第１電極部群１１３ｂ１と第２電極部群１１３ｂ２とを挟む２カ所に対応する部位に配置されている。つまり、一つの支持部１１５は、両面テープ１１４とによって、第１電極部群１１３ｂ１を挟むように配置されており、もう一つの支持部１１５は、両面テープ１１４とによって、第２電極部群１１３ｂ２を挟むように配置されている。各支持部１１５の柔軟部材１１５ｃは、ベースフィルム１１３ａに対して付勢力を付加するようにベースフィルム１１３ａを支持している。
【００６３】
尚、位置決めピン１１１ａ、位置決め孔１１３ｅは、両面テープ１１４に対応する領域、つまり、両面テープ１１４の長手方向の両端部側に設けられている。
【００６４】
これにより、第１電極部群１１３ｂ１に対応する領域のベースフィルム１１３ａは、両面テープ１１４の位置を起点として、上側の支持部１１５側において、操作パネル１１１に対して独立して熱膨張、熱収縮が可能となる。また同様に、第２電極部群１１３ｂ２に対応する領域のベースフィルム１１３ａは、両面テープ１１４の位置を起点として、下側の支持部１１５側において、操作パネル１１１に対して独立して熱膨張、熱収縮が可能となる。
【００６５】
よって、ベースフィルム１１３ａにおいて、複数列の電極部１１３ｂが設けられる場合であっても、温度変化に伴うベースフィルム１１３ａの浮きの発生をなくすことができる。
【００６６】
（第６実施形態）
第６実施形態のスイッチ装置１００Ｆを図９に示す。第６実施形態のスイッチ装置１００Ｆは、上記第１〜第５実施形態のスイッチ装置１００Ａ〜１００Ｅに対して、ベースフィルム１１３ａ上において、電極部１１３ｂ、および配線部１１３ｃ、１１３ｄが形成される領域を限定したものである。
【００６７】
ベースフィルム１１３ａは、支持部１１５の柔軟部材１１５ｃによって操作パネル１１１側に付勢されている。電極部１１３ｂ、および配線部１１３ｃ、１１３ｄは、ベースフィルム１１３ａの操作パネル１１１側の面に設けられている。そして、電極部１１３ｂ、および配線部１１３ｃ、１１３ｄは、ベースフィルム１１３ａにおいて、柔軟部材１１５ｃに対応する領域（図９中のＡ）を除いた領域に、設けられるようになっている。
【００６８】
これにより、高温時の熱によって、電極部１１３ｂ、および配線部１１３ｃ、１１３ｄが、柔軟部材１１５ｃの付勢力によって操作パネル１１１に張り付いてしまうことを抑制することができる。
【００６９】
（第７実施形態）
第７実施形態のスイッチ装置１００Ｇを図１０に示す。第７実施形態のスイッチ装置１００Ｇは、上記第１〜第６実施形態のスイッチ装置１００Ａ〜１００Ｆに対して、ベースフィルム１１３ａにおける、電極部１１３ｂ、および配線部１１３ｃ、１１３ｄの位置を変更したものである。
【００７０】
ここでは、電極部１１３ｂ、および配線部１１３ｃ、１１３ｄは、ベースフィルム１１３ａの操作パネル１１１とは反対側の面に設けられている。これにより、上記第６実施形態と同様に、高温時の熱によって、電極部１１３ｂ、および配線部１１３ｃ、１１３ｄが、柔軟部材１１５ｃの付勢力によって操作パネル１１１に張り付いてしまうことを抑制することができる。
【００７１】
（その他の実施形態）
上記各実施形態では、粘接着剤として、両面テープ１１４を用いるものとして説明したが、これに限定されることなく、他の貼合部材（接着剤、熱かしめ、溶着等）を用いたものとしてもよい。
【００７２】
また、上記各実施形態では、各意匠部１１２ａ、および電極部１１３ｂは、３つのもの、あるいは６つのものとして説明したが、意匠部１１２ａの表示内容、種類、およびこれらに対応する電極部１１３ｂの数は、限定されるものではない。
【００７３】
また、上記各スイッチ装置１００Ａ〜１００Ｇは、エアコン装置用のものとして説明したが、これに限定されることなく、カーナビゲーション装置や、オーディオ装置等のスイッチ装置として広く適用することができる。
【符号の説明】
【００７４】
１００Ａ〜１００Ｇ  静電容量式スイッチ装置
１１１  操作パネル
１１１ａ  位置決めピン（位置決め部）
１１１ｂ  窪み部
１１２ａ  意匠部
１１３ａ  ベースフィルム（フィルム材）
１１３ｂ  電極部
１１３ｂ１  第１電極部群
１１３ｂ２  第２電極部群
１１３ｃ  配線部
１１３ｄ  配線部
１１３ｅ  位置決め孔（位置決め部）
１１４  両面テープ（粘接着剤）
１１５  支持部
１１５ｃ  柔軟部材
【図１】
0006330724.tif 000002
【図２】
0006330724.tif 000003
【図３】
0006330724.tif 000004
【図４】
0006330724.tif 000005
【図５】
0006330724.tif 000006
【図６】
0006330724.tif 000007
【図７】
0006330724.tif 000008
【図８】
0006330724.tif 000009
【図９】
0006330724.tif 000010
【図１０】
0006330724.tif 000011